(57)【要約】【課題】複雑な構成を排し、且つ、メンテナンスの負担を大幅に軽減することのできる波紋投影装置を提供すること。【解決手段】水Ｗなどの液体を収容する透明なケース１１が天井側に吊持され、当該ケース１１の水Ｗに波紋を形成する造波装置１３を備えて波紋投影装置が構成されている。造波装置１３は、液体の上方から液面若しくは液中に気体を噴出可能に設けられたノズル３０と、当該ノズ３０に気体を供給するエアポンプＰと、ケース１１の上方から下方に向かう光を水Ｗに照射して室内側に波紋を投影する照明装置１５とにより構成されている。【選択図】図２
2017004815.tif 000002
【特許請求の範囲】
【請求項１】
室内の天井側に配置されるとともに内部に液体を収容する透明なケースと、当該ケース内の液体に波紋を形成する造波装置と、前記ケースの外側から液体に光を照射することで室内側に波紋を投影する照明装置とを備えた波紋投影装置であって、
前記造波装置は、前記液体の上方から液面若しくは液中に気体を噴出可能に設けられたノズルと、当該ノズルに気体を供給する気体供給手段とにより構成されていることを特徴とする波紋投影装置。
【請求項２】
前記ノズルは、吐出口から間欠的に気体が噴出するように制御されることを特徴とする請求項１記載の波紋投影装置。
【請求項３】
前記ケースは、上部開放型の有底のケース本体と、当該ケースを閉塞する蓋板とを備えた略密閉型とされていることを特徴とする請求項１又は２記載の波紋投影装置。
【発明の詳細な説明】
【技術分野】
【０００１】
本発明は波紋投影装置に係り、更に詳しくは、透明なケース内に収容された液体に上方から力を付与することで波紋を形成し、ケース内の液体に光を照射して室内の床面等に波紋を投影することのできる波紋投影装置に関する。
【背景技術】
【０００２】
近年、空間演出の１つとして天井近くに透明の浅いケースを設け、当該ケースに収容された水等の液体に振動を付与して波紋を生じさせるとともに、ケースの上部から光を照射することで、室内側の床面や壁面に波紋を映し出す波紋投影装置が知られている（例えば、特許文献１）。この装置による波紋は、映像などによって作られたものではなく、実際に水を使って見る者の癒しを誘うことが目的であり、このような装置による演出は、今後、商空間などに広く採用されることが期待される。
【先行技術文献】
【特許文献】
【０００３】
【特許文献１】特開２００６−１８５６５１号公報
【発明の概要】
【発明が解決しようとする課題】
【０００４】
しかしながら、上記のような波紋投影装置にあっては、ケース内の水に造波板を浸漬し、当該造波板を揺動させることで波紋を形成させる構成であり、造波板を支持する装置の他、造波板を揺動させるための駆動装置や、駆動源と揺動板との間の動力伝達機構造等が必要となり、波紋投影装置全体の構成が複雑且つ大型化する、という不都合がある。
また、造波装置がケースのコーナー上部に配置される構成であるため、ケースの上部を開放型とせざるを得ず、造波装置の保守を必要とするばかりでなく、水が経時的に蒸発することで、その補充が必要になり、保守の煩雑性も回避し得ない。
【０００５】
そこで、本発明者は、水を収容したケース内の上部にノズルを配置し、当該ノズルから水滴を落下させて波紋を生じさせ、これを床面に投影させることのできる波紋投影装置を試作した。
これによれば、特許文献１記載の装置に比べて構造の簡略化を達成できるが、水を循環させる配管が別途に必要となり、ノズルの使用本数が多いほどに配管構造が複雑化し、バックヤードのスペースを多く取らなければならないという不都合を知見した
また、水滴を作るには点滴のような極めて小さい口径のノズルでなければならないため、継続的に使用すると汚れによるゴミ詰まりが生じ、ノズルの交換や清掃メンテナンスが頻繁に必要となる、という不都合も知見した。
【０００６】
［発明の目的］
本発明は、特許文献１記載の不都合と、試作装置における不都合に着目して案出されたものであり、その目的は、機構的に複雑な構成を排し、また、メンテナンスの負担も大幅に軽減することのできる波紋投影装置を提供することにある。
【課題を解決するための手段】
【０００７】
前記目的を達成するため、本発明は、特許請求の範囲に記載した構成を採用したものであり、具体的には、室内の天井側に配置されるとともに内部に液体を収容する透明なケースと、当該ケース内の液体に波紋を形成する造波装置と、前記ケースの外側から液体に光を照射することで室内側に波紋を投影する照明装置とを備えた波紋投影装置であって、
前記造波装置は、前記液体の上方から液面若しくは液中に気体を噴出可能に設けられたノズルと、当該ノズルに気体を供給する気体供給手段とにより構成される、という構成を採っている。
【０００８】
本発明において、前記ノズルは、吐出口から間欠的に気体が噴出するように制御することが好ましい。
【０００９】
また、前記ケースは、上部開放型の有底のケース本体と、当該ケースを閉塞する蓋板とを備えた略密閉型とされている。
【発明の効果】
【００１０】
本発明によれば、例えば、エアポンプ等の気体供給手段からノズルに気体を供給可能としておき、所定のタイミングで、気体供給手段とノズルとの間に設けられる電磁弁等を開放することでノズル先端から液面若しくは液中に気体を噴出させることできる。従って、その噴出圧力により、ケース内の液面若しくは液中にスポット的な力若しくは振動が付与されて波紋を生じさせることが可能となり、上方より照射される光によって波紋を床面等に投影することができる。
このような本発明では、電気的に波紋の数や大きさなども制御可能となって演出の幅を広げることができ、また水の代わりに防腐液を使うことで給排水設備が全く必要なく、複雑で場所を取る配管やポンプ設備も不要となる。
更に、水の汚れなどによるノズルの目詰まりも起こらず、工事は電気工事のみで完結し工期の短縮も図ることができる。
しかも、水を循環させるポンプを用いる場合は、基本的に水面以下に設置しなければならないのに対し、エアポンプからなる気体供給手段は軽量で天井裏などどこでも設置が可能であり、天井の高低に関わらず、極めて省スペースに収められるため、設置場所を選ばず市場を拡大することができ、また、波紋を映し出す照明器具としてコンパクトで使い勝手の良い製品化も可能となる。
【図面の簡単な説明】
【００１１】
【図１】本実施形態に係る波紋投影装置の平面図。
【図２】図１のＡ−Ａ線矢視断面図。
【発明を実施するための形態】
【００１２】
以下、添付図面を参照しつつ、本実施形態に係る波紋投影装置について説明する。なお、本明細書において、位置若しくは方向を示す用語は、特に明記しない限り、図２を基準とする。
図１及び図２に示されるように、波紋投影装置１０は、室内の天井側に配置されるとともに内部に液体としての水Ｗを収容する透明なケース１１と、当該ケース１１内の水Ｗに波紋を形成する造波装置１３と、ケース１１の外側となる上方より、水Ｗに光を照射することで室内側の床面や壁面に波紋を投影する照明装置１５とを備えて構成されている。
【００１３】
前記ケース１１は、特に限定されるものではないが、全体がアクリル樹脂等の透明な材料によって形成されている。このケース１１の大きさは種々採用することができるが、本実施形態で例示的に示すと、直径５００ｍｍ、厚み１０ｍｍの底壁２０と、当該底壁２０の上面側に接合された高さ８０ｍｍの円筒状の周壁２１と、当該周壁２１の上端で水平面内に位置する環状の取付部２３とからなる上部開放型のケース本体２４と、取付部２３に図示しないねじ等を介して固定されてケース本体２４を閉塞する直径４４０ｍｍ、厚み１０ｍｍの円形の蓋板２５とにより構成されている。
【００１４】
前記ケース１１は、図１に示されるように、蓋板２５の外周近傍において、周方向４箇所で上下方向に貫通する吊りボルト２７により天井に吊持可能に設けられている。この吊りボルト２７の下端は、ケース１１の底壁２０を貫通し、当該底壁２０の上下各面側に位置するナット部材２８により、底壁２０に固定可能となっている。
なお、ケース１１は、部材の組み立てによる微視的な隙間が上部側に存在し、略密閉構造としつつも、ケース１１内に気体を噴出させても、内部圧力が上昇することがないようになっている。
【００１５】
造波装置１３は、ケース１１の面内２箇所に支持された２つのノズル３０と、これらノズル３０にホース３１をそれぞれ介して接続されて当該ノズル３０に気体を供給する気体供給手段としてのエアポンプＰと、ノズル３０に対し、予め設定されたタイミングで間欠的にエア供給のＯＮ−ＯＦＦを個別的に行う２つの電磁弁３２とを含んで構成されている。ノズル３０は、蓋板２５を貫通し、且つ、適宜なシール材等を介して蓋板２５に支持され、下端に吐出口３０Ａが位置するようになっている。この吐出口の孔径は４ｍｍ程度であり、吐出口３０Ａと前記底壁２０との間隔は３５ｍｍ程度とされ、吐出口３０Ａは、水Ｗの水面に非接触となるように隙間Ｓを隔てた位置に設けられている。
本実施形態におけるノズル３０の相互間隔は１１２ｍｍ程度であり、また、ホース３１は、内径４ｍｍの可撓性チューブである。エアポンプＰは、常用圧力が０．０１メガパスカル、風量２０ｌ/min程度のものが用いられている。エアポンプＰは、市販の安永エアポンプ株式会社製YP20Aを好適に用いることができる。
【００１６】
前記照明装置１５は、ケース１１の上方において、図示しない天井に支持されている。この照明装置１５は、蛍光灯、ＬＥＤ等の市販の照明器具が用いられ、ケース１１を通じて室内側を照らすようになっている。
【００１７】
なお、前記エアポンプＰは家庭用電源を用いて駆動され、波紋投影装置１０は、図示しない制御装置を介して種々の条件で動作可能となっている。
【００１８】
以上の構成において、ケース１１の蓋板２５を取り付ける前に水Ｗを所定量、例えば、深さ１０ｍｍ程度となる水量をケース１１内に収容した後に、蓋板２５で上部を閉塞し、照明装置１５の下方に位置するように吊りボルト２７を介して吊持される。
エアポンプＰの駆動による圧力が電磁弁３２の間欠的な開放によりノズル３０に付与されると、その開放時毎に、ノズル３０の先端からエアが吐出され、その圧力によって水Ｗの液面に波紋が形成され、当該波紋が広がってゆく様が照明によって床面や壁面に投影される。
【００１９】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２０】
例えば、前記実施形態では液体は水Ｗを採用した場合を示したが、グリコール等の防腐液を用いることでもよい。
また、ケース１１は、円筒状に限らず、平面視正四角形、長方形等の角筒状、楕円形状等、種々の平面形状のものが適用できる。
更に、ノズルは少なくとも１つあればよく、使用数は、ケース１１の大きさ等に応じて増大させてよい。
また、前記実施形態では、ノズル３０の吐出口３０Ａが水Ｗの水面に非接触となる状態で空気を吐出させるものとしたが、吐出口３０Ａを水中に位置させて空気を吐出することで波紋を形成するように構成してもよい。この場合には、小型の電磁弁３２を用いることができるという利点がある。
【符号の説明】
【００２１】
１０  波紋投影装置
１１  ケース
１３  造波装置
１５  照明装置
２４  ケース本体
２５  蓋板
３０  ノズル
３０Ａ  吐出口
Ｐ  エアポンプ（気体供給手段）
Ｗ  水（液体）
【図１】
2017004815.tif 000003
【図２】
2017004815.tif 000004